【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
入力手段と、
見出し語と前記見出し語に関連付けられたテキストデータおよびオブジェクトデータとを含む辞書データから、前記入力手段を介して入力された情報に基づいて、前記辞書データの見出し語を検索する検索手段と、
前記辞書データの中から、前記オブジェクトデータについてのキーワードを抽出する抽出手段と、
前記オブジェクトデータと前記キーワードを関連付けて記憶する関連情報記憶手段とを備え、
前記検索手段は、前記入力手段にオブジェクトデータを選択する情報と当該オブジェクトデータに関連する情報の検索を実行する旨の情報が入力された場合に、前記選択されたオブジェクトデータに前記関連情報記憶手段において関連付けられている前記キーワードに基づいて、前記辞書データの見出し語を検索する、電子機器。
【請求項２】
前記抽出手段は、前記辞書データにおいて前記オブジェクトデータに関連付けられている前記見出し語を前記キーワードとして抽出する、請求項１に記載の電子機器。
【請求項３】
前記抽出手段は、前記辞書データにおいて前記オブジェクトデータに関連付けられている前記テキストデータの中で、特定の記号に対して一定の条件を満たすデータをキーワードとして抽出する、請求項１または請求項２に記載の電子機器。
【請求項４】
前記入力手段を介して入力されたデータを記憶する入力データ記憶手段をさらに備え、
前記抽出手段は、前記辞書データにおいて前記オブジェクトデータに関連付けられている前記テキストデータの中から、前記入力データ記憶手段に記憶されたデータと一致するデータを前記キーワードとして抽出する、請求項１〜請求項３のいずれかに記載の電子機器。
【請求項５】
表示手段と、
前記検索手段による検索結果の見出し語、および、前記辞書データにおいて当該見出し語に関連付けられているテキストデータおよびオブジェクトデータを前記表示手段に表示させる表示制御手段とをさらに備え、
前記表示制御手段は、前記オブジェクトデータとともに、前記関連情報記憶手段において当該オブジェクトデータに関連付けられているキーワードを、前記表示手段に表示させる、請求項１〜請求項４のいずれかに記載の電子機器。
【請求項６】
前記入力手段は、前記表示手段に表示された前記キーワードを選択する情報の入力を受付け、
前記検索手段は、選択された前記キーワードに基づいて、前記辞書データを検索する、請求項５に記載の電子機器。
【請求項７】
前記抽出手段は、前記オブジェクトデータについて抽出したキーワードに漢字が含まれる場合には、当該キーワードのかな表記をされた文字列を、さらに前記オブジェクトデータに関連するキーワードとして前記関連情報記憶手段に記憶させる、請求項１〜請求項６のいずれかに記載の電子機器。
【請求項８】
前記オブジェクトデータは、画像データである、請求項１〜請求項７のいずれかに記載の電子機器。
【請求項９】
前記オブジェクトデータは、音声データである、請求項１〜請求項７のいずれかに記載の電子機器。
【請求項１０】
電子機器が、
見出し語と前記見出し語に関連付けられたテキストデータおよびオブジェクトデータとを含む辞書データの中から、前記オブジェクトデータについてのキーワードを抽出するステップと、
前記オブジェクトデータと前記キーワードを関連付けて記憶するステップと、
オブジェクトデータを選択する情報と当該オブジェクトデータに関連する情報の検索を実行する旨の情報の入力を受け付けるステップと、
前記選択されたオブジェクトデータに関連付けられている前記キーワードに基づいて、前記辞書データの見出し語を検索するステップとを備える、電子機器の制御方法。
【請求項１１】
コンピュータに、請求項１０に記載の電子機器の制御方法を実行させるためのコンピュータプログラム。
【手続補正２】
【補正対象書類名】明細書
【補正対象項目名】００１５
【補正方法】変更
【補正の内容】
【００１５】
本発明に従った電子機器の制御方法は、電子機器が、見出し語と前記見出し語に関連付けられたテキストデータおよびオブジェクトデータとを含む辞書データの中から、前記オブジェクトデータについてのキーワードを抽出するステップと、前記オブジェクトデータと前記キーワードを関連付けて記憶するステップと、オブジェクトデータを選択する情報と当該オブジェクトデータに関連する情報の検索を実行する旨の情報の入力を受け付けるステップと、前記選択されたオブジェクトデータに関連付けられている前記キーワードに基づいて、前記辞書データの見出し語を検索するステップとを備えることを特徴とする。
【手続補正３】
【補正対象書類名】明細書
【補正対象項目名】００２３
【補正方法】変更
【補正の内容】
【００２３】
ＲＡＭ４０には、選択画像・ワード記憶領域４１、入力テキスト記憶領域４２、候補キーワード記憶領域４３、および、キーワード選択要否設定記憶領域４４が含まれる。
【手続補正４】
【補正対象書類名】明細書
【補正対象項目名】００４３
【補正方法】変更
【補正の内容】
【００４３】
ＣＰＵ１０は、辞書検索プログラム記憶部５６に記憶されたプログラムに従って、当該テーブルを作成する。ここで、ＣＰＵ１０が当該テーブルの作成の際に実行する処理について、当該処理（画像・キーワード対応テーブル作成処理）のフローチャートである図１６を参照して、説明する。
【手続補正５】
【補正対象書類名】明細書
【補正対象項目名】００４４
【補正方法】変更
【補正の内容】
【００４４】
図１６を参照して、画像・キーワード対応テーブル作成処理では、ＣＰＵ１０は、まずステップＳ１０で、変数ｊを０にセットして、ステップＳ２０へ処理を進める。変数ｊとは、上記したように、画像・キーワード対応テーブルにおける画像データの背番号に対応した変数である。つまり、以降の処理において、変数ｊの値により、処理対象となっている画像データが画像・キーワード対応テーブル中のどの画像データであるかが特定される。なお、本実施の形態では、予め、画像ＩＤ・アドレス対応テーブル（図３参照）に記憶されているすべての画像ＩＤについて、画像・キーワード対応テーブルに記憶され、各画像ＩＤに対して変数ｊの値が割り振られているものとする。
【手続補正６】
【補正対象書類名】明細書
【補正対象項目名】００４５
【補正方法】変更
【補正の内容】
【００４５】
ステップＳ２０では、ＣＰＵ１０は、変数ｎ、および、変数ｉの値を、いずれも０にセットして、ステップＳ３０へ処理を進める。変数ｎとは、図５を参照して説明したように、各画像に関連付けられて記憶されるキーワードの順序を特定する値である。また、変数ｉは、これ以降の処理で利用される変数である。
【手続補正７】
【補正対象書類名】明細書
【補正対象項目名】００４６
【補正方法】変更
【補正の内容】
【００４６】
ステップＳ３０では、変数ｊの値が配列Ｐの要素数よりも小さい値であるか否かを判断する。配列Ｐの要素数とは、辞書ＤＢ記憶部５５において記憶されているオブジェクトの実データの数を意味する。そして、ＣＰＵ１０は、変数ｊの値が配列Ｐの要素数よりも小さいと判断するとステップＳ４０へ処理を進め、そうではないと判断すると処理を終了させる。
【手続補正８】
【補正対象書類名】明細書
【補正対象項目名】００５４
【補正方法】変更
【補正の内容】
【００５４】
図１８を参照して、分類情報抽出処理では、ＣＰＵ１０は、ステップＳ５１で、ｉの値が配列Ｑの要素数よりも小さい値となっているか否かを判断し、そうであると判断するとステップＳ５２へ処理を進め、そうではないと判断すると処理をリターンさせる。なお、配列Ｑの要素数とは、辞書データにおいて、「小分類」の欄に記憶させるための情報の種類の総数を意味する。本実施の形態では、図２に示されるように、「小分類」の欄には、少なくとも「文化遺産」「自然遺跡」という少なくとも２種類の情報が示されている。したがって、本実施の形態では、配列Ｑの要素数は、少なくとも２以上であると言える。
【手続補正９】
【補正対象書類名】明細書
【補正対象項目名】００７９
【補正方法】変更
【補正の内容】
【００７９】
図２１を参照して、キーワード・画像ＩＤリスト対応テーブル作成処理では、ＣＰＵ１０は、まずステップＳＡ１０で、変数ｊの値として０をセットして、ステップＳＡ２０へ処理を進める。なお、変数ｊとは、上記した画像・キーワード対応テーブルに対して定義された変数ｊと同じ意味を有する変数である。
【手続補正１０】
【補正対象書類名】明細書
【補正対象項目名】００８１
【補正方法】変更
【補正の内容】
【００８１】
ステップＳＡ３０では、ＣＰＵ１０は、変数ｎが配列Ｓ［ｊ］の要素数よりも小さい値であるか否かを判断し、そうであると判断するとステップＳＡ５０へ処理を進め、そうではないと判断するとステップＳＡ４０へ処理を進める。
【手続補正１１】
【補正対象書類名】明細書
【補正対象項目名】０１０９
【補正方法】変更
【補正の内容】
【０１０９】
ステップＳＢ３０６では、ステップＳＢ３０３で抽出されたキーワードのすべてに基づいて、辞書データの見出し語の検索を行ない、ステップＳＢ３０９へ処理を進める。なお、ステップＳＢ３０６での検索は、すべてのキーワードについての、ｏｒ検索であってもよいし、ａｎｄ検索であってもよい。
【手続補正１２】
【補正対象書類名】明細書
【補正対象項目名】０１３０
【補正方法】変更
【補正の内容】
【０１３０】
ステップＳＣ３０６では、ステップＳＣ３０３で抽出されたキーワードのすべてに基づいて、辞書データの見出し語の検索を行ない、ステップＳＣ３０９へ処理を進める。なお、ステップＳＣ３０６での検索は、すべてのキーワードについての、ｏｒ検索であってもよいし、ａｎｄ検索であってもよい。
【手続補正１３】
【補正対象書類名】図面
【補正対象項目名】図２
【補正方法】変更
【補正の内容】
【図２】
2009116530.tif 000001